(57)【要約】【課題】一つのデジタルカメラで撮影する際、複数の者が各人所望の画像を表すデジタル画像データだけを各人固有の記録メディアに記録可能とするデジタルカメラの記録システムを提供する。【解決手段】撮影して被写体像を示すデジタル画像データを取得すると共に通信手段４０を備えたデジタルカメラ１０と、デジタル画像データを記録メディアに記録可能とすると共に通信手段を備えた複数の記録部７０Ａ、７０Ｂ、７０Ｃと、でデジタルカメラ１０の記録システムを構成する。デジタルカメラ１０で撮影する際に、画像データを記録したい記録部７０Ａ、７０Ｂ、７０Ｃは通信手段によって記録予約をデジタルカメラ１０に送信する。デジタルカメラ１０は、撮影したデジタル画像データを記録予約した記録部７０Ａ、７０Ｂ、７０Ｃへ送信する。画像データを受信した記録部７０Ａ、７０Ｂ、７０Ｃは、記録メディアに画像データを記録する。【選択図】　図１
2004080406.tif 000002
【特許請求の範囲】
【請求項１】
被写体像を撮影して前記被写体像を示すデジタル画像データを取得するデジタルカメラと、
前記デジタルカメラと別体に設けた、前記デジタル画像データをそれぞれ記録可能な複数の記録部と、
前記デジタルカメラから前記複数の記録部に対してそれぞれ通信を行うために、前記デジタルカメラに設けたカメラ側通信手段と、
前記各記録部から前記デジタルカメラに対して通信を行うために、前記記録部の各々に設けた複数の記録部側通信手段と、
撮影する際に前記デジタルカメラに対して、前記記録部側通信手段によって記録予約情報を送信し、前記デジタルカメラで撮影した前記デジタル画像データを前記記録部側通信手段によって受信し、記録メディアに記録するように制御する記録部用制御手段と、
前記デジタルカメラで撮影された際に、記録予約情報を受信した前記記録部に対して、撮影した前記デジタル画像データを前記カメラ側通信手段によって送信するように制御するカメラ部用制御手段と、
を有することを特徴とする撮影記録システム。
【発明の詳細な説明】
【０００１】
【発明の属する技術分野】
この発明は、デジタルカメラで撮影したデジタル画像データを、通信手段でデジタルカメラと別体の複数の記録部に記録可能とする、撮影記録システムに関する。
【０００２】
【従来の技術】
一般のディジタルカメラでは、メモリカードなどの可搬性の記録メディアを装填可能となっており、撮影した画像を表すデジタル画像データを記録メディアに記憶させるようになっている。
【０００３】
ここで、１台のデジタルカメラで撮影した画像を、複数の者が、それぞれ各人所望の画像を表すデジタル画像データを各人固有の記録メディアに記録して管理したいという要望がある。
【０００４】
このような場合にデジタルカメラでは、装填可能な記録メディアの個数が１つだけであると、１台のデジタルカメラで撮影されたデジタル画像データが撮影した順番で１つの記録メディアに記録される。
【０００５】
このため、１台のデジタルカメラで撮影した画像を、複数の者が、それぞれ各人所望の画像を表すデジタル画像データだけを各人固有の記録メディアに記録させるのには、各自が記録メディアを準備し、撮影時に自分の記録メディアを撮影するデジタルカメラに差換えたり、各人毎にデジタルカメラに装着した記録メディアから所望の画像を選択してダビング（複製作成）する必要があり、作業が煩雑となる。
【０００６】
また、従来のデジタルカメラの技術としては、撮影したデジタル画像データを、複数の記録メディアに記録するものが提案されている。
【０００７】
この従来提案されているデジタルカメラでは、複数の記録メディアを装填可能とし、１回の撮影動作で複数の記録メディアに同一のデジタル画像データを記録する。すなわち、撮影前に、通常記録モードか複数記録モードかを選択し、通常記録モードが選択された場合は、撮影により取得したデジタル画像データを１つの記録メディアに記録し、複数記録モードが選択された場合は、撮影により取得したデジタル画像データを装填中の全ての記録媒体に記録するようにしている（例えば、特許文献１参照。）。
【０００８】
【特許文献１】
特開平７−２３１４２０号公報
【０００９】
【発明が解決しようとする課題】
前述のような従来の技術では、デジタルカメラに複数の記録メディアを装填可能であっても、１つの記録メディアのみを装填するデジタルカメラと同様に、全ての記録メディアに対して、撮影したデジタル画像データが撮影した順番で記録されるようになっている。
【００１０】
よって、複数の者が、それぞれ各人所望の画像を表すデジタル画像データだけを各人固有の記録メディアに記録させる場合には、このデジタルカメラで撮影して各記録メディアをそれぞれの持ち主に返却した後に、必要なデジタル画像データ以外のものを消去する必要があり、作業が煩雑となるという問題がある。
【００１１】
本発明は上記事実に鑑み、一つのデジタルカメラで撮影する際、複数の者が各人所望の画像を表すデジタル画像データだけを各人固有の記録メディアに記録可能とする撮影記録システムを提供することを目的とする。
【００１２】
【課題を解決するための手段】
本発明の請求項１に記載の撮影記録システムは、被写体像を撮影して被写体像を示すデジタル画像データを取得するデジタルカメラと、デジタルカメラと別体に設けた、デジタル画像データをそれぞれ記録可能な複数の記録部と、デジタルカメラから複数の記録部に対してそれぞれ通信を行うために、デジタルカメラに設けたカメラ側通信手段と、各記録部からデジタルカメラに対して通信を行うために、記録部の各々に設けた複数の記録部側通信手段と、撮影する際にデジタルカメラに対して、記録部側通信手段によって記録予約情報を送信し、デジタルカメラで撮影したデジタル画像データを記録部側通信手段によって受信し、記録メディアに記録するように制御する記録部用制御手段と、デジタルカメラで撮影された際に、記録予約情報を受信した記録部に対して、撮影したデジタル画像データをカメラ側通信手段によって送信するように制御するカメラ部用制御手段と、を有することを特徴とする。
【００１３】
上述のように構成することにより、撮影者がデジタルカメラで撮影する際に複数の記録部の各使用者が記録予約の操作をした場合に、デジタルカメラで撮影した画像データが記録予約をした記録部に送信されて、記録メディアに記録される。各使用者が所望する画像を表すデジタル画像データだけを各使用者固有の記録メディアに記録して管理可能とする。
【００１４】
【発明の実施の形態】
本発明の撮影記録システムに関する実施の形態について、以下に図面を参照しながら説明する。
【００１５】
図１に示すように、本実施の形態の撮影記録システムに係るデジタルカメラ１０は、被写体像を結像させるための光学ユニット１２と、光学ユニット１２の光軸後方に配設されたＣＣＤ（Ｃｈａｒｇｅ　Ｃｏｕｐｌｅｄ　Ｄｅｖｉｃｅ）１４と、デジタルカメラ１０の撮影によって得られた画像や各種情報を表示するためのＬＣＤ１６と、撮影者によって操作される操作手段１８と、ＣＣＤ１４による撮影によって得られたデジタル画像データを一時的に記憶するためのＳＲＡＭやＳＤＲＡＭなどの画像データ一時記憶手段２０と、各種プログラム、パラメータ、変換テーブルなどが予め記憶された外部ＲＯＭ２２と、デジタルカメラ１０全体の動作を司る主制御部２４と、を備えて構成されている。
【００１６】
なお、操作手段１８としては、静止画や動画撮影の実行を指示する際に操作されるレリーズボタン、静止画撮影モード、動画撮影モード、及び再生モードの何れかを選択するために操作される撮影モード選択手段としてのモード切替スイッチ、各種パラメータを設定したり、再生モード選択時には再生対象の画像を指定するために操作されるカーソルボタン、本デジタルカメラ１０の電源をＯＮ／ＯＦＦするために操作される電源スイッチなどが含まれる。
【００１７】
また、主制御部２４は、アナログ信号をデジタル信号に変換するＡ／Ｄコンバータ３０と、光学ユニット１２の光学ズーム倍率及び焦点を調整するＡ／Ｆ制御回路３２と、ＬＣＤ１６を駆動するＬＣＤ駆動回路３４と、画像データ一時記憶手段２０に対するデータの読み書きを制御するメモリコントローラ３６と、デジタル画像データの圧縮・伸長する圧縮伸長回路３８と、デジタルカメラ１０と別体として構成された、スマートメディア、ＩＣカード、ＣＤ−Ｒ、ＣＤ−ＲＷ等の図示しない外部記録メディア７２に対する各種データの読み書きを制御する外部機器としての複数の記録部７０Ａ、７０Ｂ、７０Ｃに設けた通信部との間で、それぞれ各種データを無線通信により送受信を行うための通信部４０と、外部記録メディア７２に対する各種データの読み書きを制御するメディアコントローラ４２とが、主制御部２４全体の制御演算を行う演算部４４と接続されている。また、演算部４４は、入力されたデジタル信号に対して所定の処理を施してデジタル画像データを生成する画像処理回路４６と、主制御部２４の制御を司る制御手段としてのＣＰＵ４８と、を備えて構成されている。
【００１８】
なお、本実施の形態では、主制御部２４は、１チップＬＳＩ（Ｌａｒｇｅ　Ｓｃａｌｅ　Ｉｎｔｅｇｒａｔｅｄ　ｃｉｒｃｕｉｔ）として構成されており、これによってデジタルカメラ１０の小型化、高信頼性化、及び低コスト化が図られている。
【００１９】
また、このデジタルカメラ１０では、光学ユニット１２は、焦点距離の変更（変倍）が可能なズームレンズとして構成されている。
【００２０】
光学ユニット１２は、Ａ／Ｆ制御回路３２と接続されており、Ａ／Ｆ制御回路３２の制御により所望のズーム倍率になるオートフォーカス（ＡＦ）機構になっている。これにより、ＣＣＤ１４では、光学ユニット１２のレンズを通過した被写体像を示す入射光に基づき被写体を撮影して被写体像を示すアナログ画像信号を出力する。
【００２１】
さらに、このデジタルカメラ１０では、レリーズボタンが半押しされることによって、自動的に合焦制御が行われる。
【００２２】
また、このデジタルカメラ１０では、静止画撮影モードが選択され、レリーズボタンが全押しされた場合に、所定のシャッタスピード及び露出光量で撮影が１回行われ、被写体像を示す静止画像が撮影される。
【００２３】
このデジタルカメラ１０では、ＣＣＤ１４の出力端がＡ／Ｄコンバータ３０と接続されている。このＡ／Ｄコンバータ３０は、ＣＣＤ１４により撮影されて出力された被写体像を示すアナログ画像信号をデジタル画像信号に変換する。このＡ／Ｄコンバータ３０の出力端は、演算部４４の画像処理回路４６と接続されている。
【００２４】
すなわち、このように構成されたデジタルカメラ１０では、撮影時にＣＣＤ１４によって得られた被写体像を示す画像信号が、アナログ信号からデジタル信号に変換された後、画像処理回路４６に入力され、デジタル画像データとして取り扱われる。
【００２５】
この画像処理回路４６は、図示しないが、入力されたデジタル画像データに対して所定のデジタル信号処理を施す信号処理回路と、補正処理をするための補正回路とを備えている。
【００２６】
また、演算部４４内では、図示しないバスを介して、画像処理回路４６及びＣＰＵ４８が相互に接続されている。さらに、この演算部４４では、図示しないバスを介して、Ａ／Ｆ制御回路３２、ＬＣＤ駆動回路３４、メモリコントローラ３６、圧縮伸長回路３８、通信部４０、メディアコントローラ４２、外部ＲＯＭ２２、及び操作手段１８が演算部４４と接続されている。
【００２７】
この通信部４０は、ＣＰＵ４８の制御信号によって制御されて、複数の記録部７０Ａ、７０Ｂ、７０Ｃの各々を特定するため予め付けられた各ＩＤ情報を利用し、各記録部７０Ａ、７０Ｂ、７０Ｃ毎に、それぞれ無線で送受信可能とする通信制御回路（通信手段）を備える。
【００２８】
このデジタルカメラ１０では、画像処理回路４６の補正回路で所定の補正処理をした画像データを、画像データ一時記憶手段２０に格納する。
【００２９】
このデジタルカメラ１０では、画像データ一時記憶手段２０に格納された補正後のデジタル画像データをメモリコントローラ３６により読み出して、圧縮伸長回路３８に転送し、圧縮伸長回路３８により所定の圧縮形式（例えばＪＰＥＧ）により圧縮した後、メディアコントローラ４２に転送し、メディアコントローラ４２により外部記録メディア７２に記憶可能に構成する。
【００３０】
また、ＬＣＤ駆動回路３４は、ＬＣＤ駆動回路３４で処理した表示したいデジタル画像データをＬＣＤ１６に供給することで、ＬＣＤ１６に画像を表示させる。
【００３１】
このデジタルカメラ１０には、撮影によって得られた被写体像上に、必要に応じて各種メニュー、静止画／動画撮影モードマーク、日付け、Ａ／Ｆフレームを示す枠、画像処理に関するパラメータ、メッセージなどを示す各種のビットマップデータ（予め外部ＲＯＭ２２に記憶されており、必要なとき選択されて読み出される）を重畳してＬＣＤ１６に表示させるＯＳＤ（Ｏｎ　Ｓｃｒｅｅｎ　Ｄｉｓｐｌａｙ）機能が備えられている。このため、デジタルカメラ１０には、画像処理回路４６上にＯＳＤ回路６２を備えている。
【００３２】
また、ＣＰＵ４８は、上記各部の動作を司るものであり、撮影者による操作手段１８の操作状況を把握し、把握した操作状況に応じて、上記各部の動作を制御する。
【００３３】
次に、本実施の形態における撮影記録システムに係る記録部７０Ａ、７０Ｂ、７０Ｃについて、図２により説明する。
【００３４】
この記録部７０Ａ、７０Ｂ、７０Ｃは、それぞれデジタルカメラ１０の通信部４０との間で、無線通信によって送受信を行う機能を有し、デジタルカメラ１０に対して記録予約の信号を送信する機能と、デジタルカメラ１０から受信した画像データを記録メディアに記録する機能とを備え、必要に応じて画像を表示するＬＣＤが付加される。
【００３５】
図２に示すように、各記録部７０Ａ、７０Ｂ、７０Ｃの電気系では、バス１０２を介して、制御を司る制御手段としてのＣＰＵ１００と、デジタルカメラ１０の通信部４０との間で無線通信により信号を送受信する通信部１０４と、使用者が各記録部７０Ａ、７０Ｂ、７０Ｃに指令を入力するためのスイッチ類を有する指示入力手段１０６と、デジタル画像データの圧縮・伸長する圧縮伸長部１０８と、画像データ等の一時記憶手段であるメモリ１１２に対するデータの読み書きを制御するメモリコントローラ１１０と、インタフェース１１６に装着されたスマートメディア、ＩＣカード、ＣＤ−Ｒ、ＣＤ−ＲＷ等の記録メディア１１４に対する各種データ（画像データ等）の読み書きを制御するメディアコントローラ１１８と、予約確認ランプ１２０と、受信中確認ランプ１２２と、必要に応じて、画像表示用のＬＣＤ１２４を駆動するＬＣＤ駆動回路１２６とが接続されて構成されている。
【００３６】
この記録部７０Ａ、７０Ｂ、７０Ｃでは、使用者が指示入力手段１０６を用いて例えばデジタルカメラ１０に対する記録予約の指示を入力する。すると、この記録予約の指示が伝達されたＣＰＵ１００は、記録予約の情報を生成して通信部１０４へ伝達し、この通信部１０４から無線通信によりデジタルカメラ１０の通信部４０へ記録予約の情報を送信する。
【００３７】
また、ＣＰＵ１００は、通信部１０４が、デジタルカメラ１０の通信部４０から記録予約の確認通知を受信したときに、所定時間だけ予約確認ランプ１２０を点灯してから消燈する。
【００３８】
この記録部７０Ａ、７０Ｂ、７０Ｃでは、デジタルカメラ１０の通信部４０から画像データを受信すると、一旦画像データがメモリコントローラ１１０を介してメモリ１１２に蓄積され、ＣＰＵ１００の指令によってメモリ１１２に蓄積された画像データをメディアコントローラ１１８とインタフェース１１６とを介して記録メディア１１４に書き込む処理を実行する。
【００３９】
また、記録部７０Ａ、７０Ｂ、７０Ｃは、ＣＰＵ１００の制御により、デジタルカメラ１０の通信部４０から画像データの受信を開始と共に受信中確認ランプ１２２を点灯し、受信を完了する際に消燈する。
【００４０】
なお、記録部７０Ａ、７０Ｂ、７０Ｃに、画像表示用のＬＣＤ１２４と、ＬＣＤ駆動回路１２６とを設けた場合には、ＣＰＵ１００の制御指令により、記録メディア１１４から読み出した表示したいデジタル画像データ（ＹＣ信号）をＬＣＤ駆動回路１２６へ転送し、ＬＣＤ駆動回路１２６でＮＴＳＣ（Ｎａｔｉｏｎａｌ　ＴＶ　Ｓｔａｎｄａｒｄｓ　Ｃｏｍｍｉｔｔｅｅ）信号に変換してＬＣＤ１２４に供給することで、ＬＣＤ１２４に、このデジタル画像データに基づく画像を表示させる。
【００４１】
また、記録メディア１１４から読み出した画像データが圧縮されている場合には、圧縮伸長部１０８でデジタル画像データの伸長をしてからＬＣＤ駆動回路１２６へ転送しＬＣＤ駆動回路１２６で変換し、ＬＣＤ１２４に供給し、ＬＣＤ１２４に画像を表示する。
【００４２】
この圧縮伸長部１０８は、メモリ１１２に記録された画像データを圧縮処理して記録メディア１１４へ記録させるように利用することもできる。
【００４３】
次に前述のように構成した、本実施の形態に係わる撮影記録システムに関する、デジタルカメラ１０と、複数の記録部７０Ａ、７０Ｂ、７０Ｃとの使用方法の一例について説明する。
【００４４】
この撮影記録システムでは、一台のデジタルカメラ１０を、撮影者（使用者）が持ち、複数（図１に例示するものでは３台）の記録部７０Ａ、７０Ｂ、７０Ｃをそれぞれ複数（本実施の形態では３人）の使用者が１台ずつ持って利用する。
【００４５】
具体的には、一台のデジタルカメラ１０を持つ撮影者が写真を撮るときに、被写体に関する説明を、記録部７０Ａ、７０Ｂ、７０Ｃを持つ３人の使用者に告げる。
【００４６】
次に、記録部７０Ａ、７０Ｂ、７０Ｃを利用する３人の使用者のうち、今から撮影者がデジタルカメラ１０で撮る写真を、自分の記録メディアに記録して残しておきたいと思った使用者だけが、各記録部７０Ａ、７０Ｂ、７０Ｃの指示入力手段１０６のスイッチ類を操作して、デジタルカメラ１０に記録予約情報を送信する。
【００４７】
次に、デジタルカメラ１０を持つ撮影者が撮影すると、デジタルカメラ１０は、撮影した画像データを、記録予約した記録部７０Ａ、７０Ｂ、７０Ｃに送信する。
【００４８】
画像データを受信した記録部７０Ａ、７０Ｂ、７０Ｃは、記録メディア１１４に画像データを記録する。
【００４９】
なお、記録部７０Ａ、７０Ｂ、７０Ｃが画像データの受信に失敗した場合は、画像データの受信に失敗した記録部７０Ａ、７０Ｂ、７０Ｃがデジタルカメラ１０に対して画像データを再要求する。すると、デジタルカメラ１０は、画像データを再要求した記録部７０Ａ、７０Ｂ、７０Ｃに対して画像データを再度送信する。そして、画像データを受信した記録部７０Ａ、７０Ｂ、７０Ｃは、記録メディア１１４に画像データを記録する。
【００５０】
上述の動作を繰り返すことによって、各記録部７０Ａ、７０Ｂ、７０Ｃの使用者は、必要な画像のみを自分の記録部７０Ａ、７０Ｂ、７０Ｃの記録メディア１１４に記録することができる。
【００５１】
上述のように構成された撮影記録システムにおけるデジタルカメラ１０では、通信部４０で画像データを送信中に、ストロボ発光に備えての充電を実行しないように抑制し、画像データを送信終了後にストロボ用の充電を再開するよう制御することが望ましい。
【００５２】
さらに、このデジタルカメラ１０では、撮影者が外部記録メディア７２に撮影した画像データを記録するか否かを選択して切り替え操作可能に構成し、デジタルカメラ１０で撮影した画像データの内、撮影者が記録しておきたいと思う画像データだけを記録可能に構成することが望ましい。このとき、撮影者が、デジタルカメラ１０で撮影した画像データを記録しないように切り替えて設定した場合でも、記録予約をした全ての記録部７０Ａ、７０Ｂ、７０Ｃで受信を完了しない場合には、後で記録部７０Ａ、７０Ｂ、７０Ｃ側に画像データを送信可能とするため、その画像データを外部記録メディア７２に記録しておくことが望ましい。
【００５３】
また、記録部７０Ａ、７０Ｂ、７０Ｃに、図２に想像線で示すように、ＬＣＤ１２４を設けた場合には、使用者が記録部７０Ａ、７０Ｂ、７０Ｃに記録されている画像を再生してＬＣＤ１２４上に表示させ、画像の確認を容易に実行可能とできる。
【００５４】
次に、上述のように構成された本実施の形態に係る撮影記録システムに関する作用及び動作について、図３乃至図５に例示するフローチャートにより説明する。
【００５５】
この撮影記録システムにおける、デジタルカメラ１０側のＣＰＵ４８では、図３に例示する制御を実行する。
【００５６】
デジタルカメラ１０側では、記録部７０Ａ、７０Ｂ、７０Ｃから記録予約の無線通信の信号を受信すると、ステップ２００で、記録部７０Ａ、７０Ｂ、７０Ｃから送信されてきた各記録部７０Ａ、７０Ｂ、７０Ｃを特定するためのＩＤ番号（符号等でも良い）をメモリに登録する。これと共に、記憶した記録部７０Ａ、７０Ｂ、７０Ｃの個数をカウントして記憶し、次のステップ２０２へ進む。
【００５７】
ステップ２０２では、記録予約をした記録部７０Ａ、７０Ｂ、７０Ｃの個数をＬＣＤ１６に表示して、ステップ２０４へ進む。
【００５８】
ステップ２０４では、記録予約をした記録部７０Ａ、７０Ｂ、７０ＣのＩＤ番号を読み出し記録予約の確認をする信号と合わせて通信部４０に伝達して無線通信により、記録部７０Ａ、７０Ｂ、７０Ｃに送信し、次のステップ２０６へ進む。
【００５９】
ステップ２０６では、デジタルカメラ１０で撮影が実行されるまで待機し、撮影が実行されると、次のステップ２０８へ進んで、ナンバーＮに０を代入して初期化し、次のステップ２１０へ進む。
【００６０】
ステップ２１０では、ナンバーＮを１インクリメントし、ステップ２００で記憶したある１つの記録部７０Ａ（又は７０Ｂ若しくは７０Ｃ）を第Ｎ番目に指定し、次のステップ２１２へ進む。
【００６１】
ステップ２１２では、第Ｎ番目に指定された記録部７０Ａ（又は７０Ｂ若しくは７０Ｃ）のＩＤ番号を読み出し、画像データと合わせて通信部４０に伝達して無線通信により、記録部７０Ａ、７０Ｂ、７０Ｃに送信し、次のステップ２１４へ進む。
【００６２】
ステップ２１４では、画像データを転送済みの記録部７０Ａ（又は７０Ｂ若しくは７０Ｃ）について、ステップ２００でメモリに記憶された登録を抹消し、次のステップ２１６へ進む。
【００６３】
ステップ２１６では、ステップ２００でメモリに記憶された記録部登録数が０か否かを判断し、記録部登録数が０でない場合は、ステップ２１０へ戻り、次に第Ｎ番目に指定された記録部７０Ｂ（又は７０Ｃ）に画像データを送信する処理を繰り返す。
【００６４】
このようにして、ステップ２００でメモリに記憶された記録部７０Ａ、７０Ｂ、７０Ｃの全てに画像データを送信する処理を送信する処理を完了し、ステップ２１６で記録部登録数が０になったと判断されると、撮影記録システムにおけるデジタルカメラ１０側の制御を完了する。
【００６５】
次に、記録部７０Ａ、７０Ｂ、７０Ｃが画像データの受信に失敗し、デジタルカメラ１０側に画像データを再要求したときの、デジタルカメラ１０側における画像データ再要求時の割込処理について、図４により説明する。
【００６６】
この撮影記録システムにおけるデジタルカメラ１０側では、画像データの受信に失敗した記録部７０Ａ、７０Ｂ、７０Ｃから画像データを再要求する信号を受信すると、ステップ２５０へ進み、画像データを再要求した記録部７０Ａ、７０Ｂ、７０ＣのＩＤ番号を特定してメモリに記憶し、次のステップ２５２へ進む。
【００６７】
ステップ２５２では、デジタルカメラ１０が記録部７０Ａ、７０Ｂ、７０Ｃに対して、直近に転送した画像データ（最近に送信した画像データ）をメモリ（外部記録メディア７２等の場合もある）から読み出し、次のステップ２５４へ進む。
【００６８】
ステップ２５４では、画像データを再要求した記録部７０Ａ、７０Ｂ、７０ＣのＩＤ番号と、画像データとを合わせて通信部４０に伝達して無線通信により、記録部７０Ａ、７０Ｂ、７０Ｃに送信し、デジタルカメラ１０側における画像データ再要求時の割込処理を完了する。
【００６９】
次に、撮影記録システムにおける、記録部７０Ａ、７０Ｂ、７０ＣのＣＰＵ１００での制御について、図５のフローチャートにより説明する。
【００７０】
各記録部７０Ａ、７０Ｂ、７０Ｃでは、ステップ３００で、それぞれの使用者が、指示入力手段１０６を操作して記録予約の指令を入力するまで待機する。記録予約の指令が入力されると、ステップ３０２へ進み、各記録部７０Ａ、７０Ｂ、７０Ｃに予め定められたＩＤ番号と、記録予約の情報とを通信部１０４へ伝達し、無線通信により、デジタルカメラ１０に対する記録予約を実行し、ステップ３０４へ進んで予約確認の通信をデジタルカメラ１０から受信するまで待機する。
【００７１】
ステップ３０４で予約確認の通信をデジタルカメラ１０から受信したと判断した場合は、次のステップ３０６へ進み、予約確認ランプ１２０を所定時間だけ点灯してから消燈する、予約確認表示処理を実行し、次のステップ３０８へ進む。なお、長時間に渡って予約確認表示処理が実行されない場合には、使用者は、再度指示入力手段１０６を操作して記録予約の入力操作を実行しても良い。
【００７２】
ステップ３０８では、デジタルカメラ１０から送られる画像データを受信するまで待機する。すなわち、デジタルカメラ１０から送信されたＩＤ番号が、これを通信部１０４で受信した記録部７０Ａ、７０Ｂ、７０ＣのＩＤ番号と合致したときに、画像データを受信するように制御し、画像データの受信が終了した後、次のステップ３１０へ進む。
【００７３】
ステップ３１０では、受信中確認ランプ１２２を点灯させて、次のステップ３１２へ進む。
【００７４】
ステップ３１２では、デジタルカメラ１０から送信された画像データの受信に成功したか否かを判断し、画像データの受信に成功した場合にはステップ３２０へ進み、画像データの受信に失敗した場合にはステップ３１４へ進む。
【００７５】
ステップ３１４では、各記録部７０Ａ、７０Ｂ、７０Ｃに予め定められたＩＤ番号と、画像データの再要求の信号とを通信部１０４へ伝達して、無線通信によりデジタルカメラ１０に画像データの再要求を実行し、ステップ３１６へ進んで、デジタルカメラ１０から送られる画像データを受信するまで待機する。このステップ３１６では、デジタルカメラ１０から画像データと共に送信されたＩＤ番号が、これを通信部１０４で受信した記録部７０Ａ、７０Ｂ、７０ＣのＩＤ番号と合致したときに、画像データを再受信したと判断して、次のステップ３１８へ進む。
【００７６】
ステップ３１８では、記録部７０Ａ、７０Ｂ、７０Ｃがデジタルカメラ１０から送信された画像データの受信に成功したか否かを判断し、画像データの受信に成功した場合にはステップ３２０へ進み、画像データの受信に失敗した場合にはステップ３１４へ戻って、上述した再び画像データの再要求を実行する。
【００７７】
ステップ３２０では、受信中確認ランプ１２２を消燈させて、次のステップ３２２へ進む。
【００７８】
ステップ３２２では、各記録部７０Ａ、７０Ｂ、７０Ｃに予め定められたＩＤ番号と、画像データの受信終了を知らせる信号とを通信部１０４へ伝達して、無線通信によりデジタルカメラ１０に送信して、撮影記録システムにおける、記録部７０Ａ、７０Ｂ、７０Ｃ側での制御を完了する。
【００７９】
【発明の効果】
本発明の撮影記録システムによれば、一つのデジタルカメラで撮影する際、記録部を持つ複数の者が、記録予約をいれるという簡単な作業で、各人所望の画像を表すデジタル画像データだけを各人固有の記録メディアに記録して管理できるという効果がある。
【図面の簡単な説明】
【図１】本発明の撮影記録システムにおける実施の形態に係る、デジタルカメラの電気系の概略構成図である。
【図２】本発明の撮影記録システムにおける実施の形態に係る、記録部の電気系の概略構成図である。
【図３】本発明の撮影記録システムにおける実施の形態に係るデジタルカメラ側で行われる制御処理を示すフローチャートである。
【図４】本発明の撮影記録システムにおける実施の形態に係るデジタルカメラ側で行われる画像データの再要求時の割込処理を示すフローチャートである。
【図５】本発明の撮影記録システムにおける実施の形態に係る記録部側で行われる制御処理を示すフローチャートである。
【符号の説明】
１０　デジタルカメラ
２４　主制御部
４０　通信部
４２　メディアコントローラ
４４　演算部
４６　画像処理回路
４８　ＣＰＵ
７０Ａ　　　　記録部
７０Ｂ　　　　記録部
７０Ｃ　　　　記録部
７２　外部記録メディア
１００　　　　ＣＰＵ
１０４　　　　通信部
１０６　　　　指示入力手段
１１４　　　　記録メディア
１１８　　　　メディアコントローラ
１２０　　　　予約確認ランプ
１２２　　　　受信中確認ランプ
１２４　　　　ＬＣＤ
１２６　　　　ＬＣＤ駆動回路
【図１】
2004080406.tif 000003
【図２】
2004080406.tif 000004
【図３】
2004080406.tif 000005
【図４】
2004080406.tif 000006
【図５】
2004080406.tif 000007